(57)【要約】【課題】高額な発信装置付電力量計の設置を必要とせず、空気調和機設置場所毎の吸い込み温度が不均一とならないように最大需要電力を削減すること。【解決手段】電力入力手段４により入力された空気調和機２の定格消費電力と圧縮機と送風機それぞれの運転時間に応じて消費電力演算手段７で算出された合計消費電力が、目標電力入力手段５により入力された目標電力以下になるように、優先度判定手段６で吸い込み温度の順に決定した制御優先度に応じて、電力調整手段８により複数台の空気調和機２を所定時間毎に順次発停あるいは能力制御することにより、高額な発信装置付電力量計の設置を必要とせず、空気調和機２の設置場所毎の吸い込み温度が不均一とならないように最大需要電力を削減することができる。【選択図】図１
2006078045.tif 000002
【特許請求の範囲】
【請求項１】
複数台の空気調和機の定格消費電力を入力する電力入力手段と、前記電力入力手段の出力と空気調和機毎の圧縮機と送風機それぞれの運転時間をもとに合計消費電力を演算する消費電力演算手段と、空気調和機の合計目標電力を入力する目標電力入力手段と、空気調和機毎の吸い込み温度をもとに制御優先度を判定する優先度判定手段と、前記消費電力演算手段と前記目標電力入力手段と前記優先度判定手段の出力をもとに空気調和機の合計消費電力を調整する電力調整手段とを備え、前記電力調整手段は、空気調和機の合計消費電力が合計目標電力以下となるように制御優先度に従って所定時間毎に空気調和機の発停あるいは能力制御を行うことを特徴とする空気調和機の遠隔制御装置。
【請求項２】
目標電力入力手段を、所定期間毎に合計目標電力を入力できるものとしたことを特徴とする請求項１に記載の空気調和機の遠隔制御装置。
【請求項３】
目標電力入力手段を、合計目標電力と合計目標電力に対する安全率を入力できるものとしたことを特徴とする請求項１に記載の空気調和機の遠隔制御装置。
【発明の詳細な説明】
【技術分野】
【０００１】
本発明は、ビル等の空調制御に用いられる空気調和機の遠隔制御装置に関するものである。
【背景技術】
【０００２】
従来、この種の空気調和機の遠隔制御装置としては、例えば、図２に記載しているものがあった（特許文献１参照）。図２において、電力量に対する発信装置付電力量計１０９からのパルス信号を信号線１１１を介して入力するパルス信号入力部１０４と、パルス信号から電力を計算する電力算出手段１０５と、この電力算出手段１０５の信号をシリアル信号に変換し中央装置１０１からのシリアル制御信号をパラレル信号に変換するパラレル・シリアル変換手段１０６と、このパラレル・シリアル変換手段１０６からの信号と中央装置１０１からの制御信号を入出力するシリアル信号入出力部１０７と、中央装置１０１からの制御信号をパラレル・シリアル変換手段１０６を介して入力し空気調和機１１０を制御する制御信号出力部１０８とを備えた複数の端末機１０３を設け、端末機１０３は中央装置１０１と伝送線１０２を介して接続され、中央装置１０１は端末機１０３からの電力算出手段１０５のシリアル信号を受け電力を集計し空気調和機１１０の制御命令を出していた。
【特許文献１】特開昭６２−２２９５０号公報
【発明の開示】
【発明が解決しようとする課題】
【０００３】
しかしながら、前記従来の構成では、最大需要電力を削減するために遠隔制御装置は、電力算出手段１０５からの電力計測値をもとに目標電力以下となるように空気調和機１１０を制御していた。このため高額な発信装置付電力量計１０９が必要であり、発信装置付電力量計１０９から端末機１０３までの信号線１１１と信号線１１１の配線工事が必要となるという課題を有していた。
【０００４】
本発明は、上記従来の課題を解決するもので、高額な発信装置付電力量計の設置を必要とせず、空気調和機設置場所毎の吸い込み温度が不均一とならないように最大需要電力を削減することができる空気調和機の遠隔制御装置を提供することを目的とする。
【課題を解決するための手段】
【０００５】
前記従来の課題を解決するために、本発明の空気調和機の遠隔制御装置は、空気調和機毎の定格消費電力と圧縮機と送風機それぞれの運転時間をもとに合計消費電力を演算する消費電力演算手段と、空気調和機毎の吸い込み温度をもとに制御優先度を判定する優先度判定手段と、空気調和機の合計消費電力を調整する電力調整手段とを設け、空気調和機の合計消費電力が合計目標電力以下となるように制御優先度に従って所定時間毎に空気調和機の発停あるいは能力制御を行うものである。
【０００６】
これによって、発信装置付電力量計を使用せずに空気調和機の消費電力を計測し、空気調和機設置場所毎の吸い込み温度を監視しながら空気調和機の消費電力を目標電力以下とするものである。
【発明の効果】
【０００７】
本発明の空気調和機の遠隔制御装置は、高額な発信装置付電力量計と発信装置付電力量計から遠隔制御装置までの信号線とその配線工事を必要とせず、空気調和機設置場所毎の吸い込み温度が不均一とならないように最大需要電力を削減することができる。
【発明を実施するための最良の形態】
【０００８】
第１の発明は、複数台の空気調和機の定格消費電力を入力する電力入力手段と、電力入力手段の出力と空気調和機毎の圧縮機と送風機それぞれの運転時間をもとに合計消費電力を演算する消費電力演算手段と、空気調和機の合計目標電力を入力する目標電力入力手段と、空気調和機毎の吸い込み温度をもとに制御優先度を判定する優先度判定手段と、消費電力演算手段と目標電力入力手段と優先度判定手段の出力をもとに空気調和機の合計消費電力を調整する電力調整手段とを備え、電力調整手段は、空気調和機の合計消費電力が合計目標電力以下となるように制御優先度に従って所定時間毎に空気調和機の発停あるいは能力制御を行うことにより、発信装置付電力量計を使用せずに空気調和機の消費電力を計測し、空気調和機設置場所毎の吸い込み温度を監視しながら空気調和機の消費電力を目標電力以下とすることができ、高額な発信装置付電力量計と発信装置付電力量計から遠隔制御装置までの信号線とその配線工事を必要とせず、空気調和機設置場所毎の吸い込み温度が不均一とならないように最大需要電力を削減することができる。
【０００９】
第２の発明は、特に、第１の発明の目標電力入力手段を、所定期間毎に合計目標電力を入力できるものとすることにより、目標電力を所定期間毎に設定することができ、年間を通じたランニングコストの削減ができる。
【００１０】
第３の発明は、特に、第１の発明の目標電力入力手段を、合計目標電力と合計目標電力に対する安全率を入力できるものとしたことにより、目標電力における安全率を設定することができ、急激な電力負荷変動が発生した場合でも最大電力量を超えることなく電力の削減ができる。
【００１１】
以下、本発明の実施の形態について、図面を参照しながら説明する。なお、この実施の形態によって本発明が限定されるものではない。
【００１２】
（実施の形態１）
図１は、本発明の実施の形態１から３における空気調和機の遠隔制御装置に共通のブロック図を示すものである。図１において、遠隔制御装置１は、電力入力手段４、目標電力入力手段５、優先度判定手段６、消費電力演算手段７、電力調整手段８から構成されている。
【００１３】
以上のように構成された空気調和機の遠隔制御装置について、以下その動作、作用を説明する。
【００１４】
電力入力手段４は、複数台の空気調和機２Ａ、２Ｂ、…、２ｎの定格消費電力（例：１０ｋＷ，２０ｋＷ，…，１０ｋＷ）を入力する。目標電力入力手段５は、最大消費電力を削減するために利用可能な目標電力（例：１００ｋＷ）を入力する。消費電力演算手段７は、信号線３を介して空気調和機２毎の吸い込み温度と設定温度を検知し、吸い込み温度と設定温度との温度差から消費電力補正係数（例：０．９，１．０，１．１）を選択して、空気調和機２の運転状態と圧縮機と送風機それぞれの運転時間に応じた消費電力の合計を演算する（例：１１０ｋＷ）。優先度判定手段６は、信号線３を介して空気調和機２毎の吸い込み温度を検知し、冷房運転時は吸い込み温度の低い順に、暖房運転時は吸い込み温度の高い順に、自動的に空気調和機２の制御優先度を決定する（例：２Ａ＝優先度高，２Ｂ＝優先度低，…，２ｎ＝優先度中）。電力調整手段８は、運転時の消費電力合計（例：１１０ｋＷ）が目標電力（例：１００ｋＷ）以下になるように優先度判定手段６で決定された制御優先度順に信号線３を介して複数の空気調和機２へ発停あるいは能力制御信号を送り所定時間毎に順次発停あるいは能力制御を行う。以降この動作を繰り返す。
【００１５】
以上のように、本実施の形態においては、電力入力手段４により入力された複数台の空気調和機２毎の定格消費電力と圧縮機と送風機それぞれの運転時間に応じた消費電力の合計を消費電力演算手段７により演算し、目標電力入力手段５により入力された目標電力以下になるように優先度判定手段６で吸い込み温度の順に決定した制御優先度に応じて電力調整手段８により複数台の空気調和機２を所定時間毎に順次発停あるいは能力制御することにより、発信装置付電力量計を使用せずに空気調和機２の消費電力を計測し、空気調和機２の設置場所毎の吸い込み温度を監視しながら空気調和機２の消費電力を目標電力以下とすることができ、複数台の空気調和機２の電力を計測する高額な発信装置付電力量計と発信装置付電力量計から遠隔制御装置１までの信号線とその配線工事を必要とせず、空気調和機２の設置場所毎の吸い込み温度が不均一とならないように最大需要電力を削減することができる。
【００１６】
尚、電力入力手段４、目標電力入力手段５への入力はパソコンの他、キー入力手段とマウス入力手段とタッチパネル入力手段のいずれかと画面を持つ入力手段を使用しても良い。また、電力入力手段４は、空気調和機２の運転状態に合わせた定格消費電力の複数入力ができるものとする（例：冷房運転時用＝１０ｋＷ、暖房運転時用＝５ｋＷ）。
【００１７】
（実施の形態２）
図１を用いて、本発明の実施の形態２における空気調和機の遠隔制御装置を説明する。本実施の形態においては、目標電力入力手段５は、最大需要電力を削減するために利用可能な目標電力を期間毎に複数入力する（例：１月〜３月＝８０ｋＷ、４月〜５月＝３０ｋＷ、６月〜９月＝１００ｋＷ、１０月〜１２月＝４０ｋＷ）。
【００１８】
以上のように、電力入力手段４により入力された複数台の空気調和機２毎の定格消費電力と圧縮機と送風機それぞれの運転時間に応じた消費電力の合計を消費電力演算手段７により演算し、目標電力入力手段５により入力された期間毎の目標電力以下になるように優先度判定手段６で吸い込み温度の順に決定した制御優先度に応じて電力調整手段８により複数台の空気調和機２を所定時間毎に順次発停あるいは能力制御することにより、目標電力を所定期間毎に設定することができ、年間を通じたランニングコストの削減ができる。
【００１９】
（実施の形態３）
図１を用いて、本発明の実施の形態３における空気調和機の遠隔制御装置を説明する。本実施の形態においては、目標電力入力手段５は、最大需要電力を削減するために利用可能な目標電力と目標電力に対する安全率（％）を入力できる（例：安全率＝２０％）。
【００２０】
以上のように、電力入力手段４により入力された複数台の空気調和機２毎の定格消費電力と圧縮機と送風機それぞれの運転時間に応じた消費電力の合計を消費電力演算手段７により演算し、目標電力入力手段５により入力された目標電力（１００ｋＷ）に安全率（２０％）を乗じた目標電力（８０ｋＷ）以下になるように優先度判定手段６で吸い込み温度の順に決定した制御優先度に応じて電力調整手段８により複数台の空気調和機２を所定時間毎に順次発停あるいは能力制御することにより、目標電力における安全率を設定することができ、急激な電力負荷変動が発生した場合でも最大電力量を超えることなく電力の削減ができる。
【産業上の利用可能性】
【００２１】
以上のように、本発明にかかる空気調和機の遠隔制御装置は、複数台の空気調和機の電力を計測する高額な発信装置付電力量計を必要とせず、空気調和機設置場所毎の吸い込み温度が不均一とならないように最大需要電力を削減することが可能となるので、空気調和機の多い大型ビルだけでなく小規模なテナントビルや店舗等の用途にも適用できる。
【図面の簡単な説明】
【００２２】
【図１】本発明の実施の形態１、２および３における空気調和機の遠隔制御装置のブロック図
【図２】従来の空気調和機の遠隔制御装置のブロック図
【符号の説明】
【００２３】
１  遠隔制御装置
２  空気調和機
３  信号線
４  電力入力手段
５  目標電力入力手段
６  優先度判定手段
７  消費電力演算手段
８  電力調整手段
【図１】
2006078045.tif 000003
【図２】
2006078045.tif 000004